(57)【特許請求の範囲】
【請求項１】
プローブアレイ基板表面の複数のマトリクス部位に、標的物質を捕捉するためのプローブをその一部を固定して、該プローブを構成するためのユニットを逐次的に結合していく、逐次合成の際に、該逐次合成の最終段階において、それまでの各段階の合成によって所望の鎖長まで伸長されたプローブの末端に標識化合物を結合する末端標識プローブアレイの、それぞれのマトリクスの標識物質量を測定する、最終段階まで逐次合成された各マトリクスのプローブの量の評価方法。
【請求項２】
前記プローブが核酸である請求項１に記載のプローブの量の評価方法。
【請求項３】
前記核酸がＤＮＡ、オリゴヌクレオチド、ペプチド核酸である請求項２に記載のプローブの量の評価方法。
【請求項４】
前記核酸がＤＮＡであり、前記逐次合成が下記の合成ステップよりなるフォスフォロアミダイト法である請求項３に記載のプローブの量の評価方法。
(１)固相担体表面にリンカーを介して結合されている水酸基の保護基を除去する工程。
(２)所望の塩基を有する第一番目のヌクレオチドを形成すべきアミダイトモノマーの３'側で(１)の水酸基と結合する工程。
(３)(１)の水酸基のうち(２)の工程で未反応なものをキャッピングする工程。
(４)(２)で結合したアミダイトをフォスファイトからフォスフェイトへ酸化する工程。
(５)(２)で結合したアミダイトの５'側に結合した水酸基の保護基を除去する工程。
(６)(２)から(４)の工程を所望の塩基長、塩基配列に対して３'→５'方向へ繰り返す工程。
【請求項５】
前記プローブが蛋白質である請求項１に記載のプローブの量の評価方法。
【請求項６】
前記プローブがオリゴペプチドである請求項１に記載のプローブの量の評価方法。
【請求項７】
前記プローブの末端に結合した標識物質が蛍光物質である請求項１から６のいずれかに記載のプローブの量の評価方法。
【請求項８】
前記プローブの末端に結合した標識物質が蛍光色素である請求項７に記載のプローブの量の評価方法。
【請求項９】
前記プローブの末端に結合した標識物質が、標的物質に対する標識物質と異なる請求項１から８のいずれかに記載のプローブの量の評価方法。
【請求項１０】
請求項１〜９のいずれかに記載のプローブの量の評価方法によって量的に評価されたプローブの量と、該プローブに捕捉された標的物質の標識物質の量を比較する標的化合物の量の評価方法。
【請求項１１】
逐次合成の第一段階において基板表面の所定のマトリクスに結合され、その後の伸長反応を行わない標識物質の量と、最終段階において結合された標識物質の量を比較する請求項１〜９のいずれかに記載のプローブの量の評価方法。
【請求項１２】
プローブアレイ基板表面の複数のマトリクス部位に、標的物質を捕捉するためのプローブをその一部を固定して、該プローブを構成するためのユニットを逐次的に結合していく、逐次合成の際に、該逐次合成の最終段階において、それまでの各段階の合成によって所望の鎖長まで伸長されたプローブの末端に標識化合物を結合する末端標識プローブアレイの所定の部位のマトリクスのプローブに捕捉された標識標的化合物の標識化合物の量と、最終段階において結合された標識物質の量と、逐次合成の第一段階において基板表面に結合された標識物質の量とを比較する標的化合物の量の評価方法。
【請求項１３】
前記末端標識プローブアレイが、請求項１〜９のいずれかに記載のプローブの量の評価方法により評価されたものである請求項12に記載の標的化合物の量の評価方法。
【発明の詳細な説明】
【０００１】
【発明の属する技術分野】
本発明は、標識プローブアレイのプローブの量の評価方法、及び、該標識プローブアレイを用いた標的物質量の評価方法に関する。
【０００２】
【従来の技術】
近年、複数のプローブを基板方面にアレイ状に配置した、いわゆるプローブアレイを用いて標的物質を精密に評価する方法が精力的に検討されている。その代表的な例としてＤＮＡプローブアレイをあげることができる。ＤＮＡプローブアレイを用いることにより、例えば、複数の標的遺伝子の存在を塩基配列レベルで、また、塩基配列そのものとして解析することが可能となる。
【０００３】
プローブアレイの作製方法は大きくわけると二つの方法がある。
【０００４】
第一の方法は、プローブがＤＮＡ、オリゴヌクレオチド、ペプチド核酸(ＰＮＡ)、蛋白質、オリゴペプチドのように、ヌクレチオドやアミノ酸の配列が重要な意味を持ち、かつ、化学的に伸長合成が可能な物質である場合、これらを固相アレイ基板上に逐次的に合成していく方法である。
【０００５】
このような方法の一例として米国特許公報５，４４５，９６６には、光分解性の保護基とフォトリソグラフィー法を用いた基板上でのＤＮＡプローブアレイの合成方法が示されている。また、他の例として米国特許公報５，４７４，７９６にはヌクレオチドモノマーをインクジェット法により供給する方法も示されている。
【０００６】
第二の方法は上述の物質の他に、化学的に合成できない物質にも適用できるもので、予め合成、または、調製された物質をプローブアレイ基板の各マトリクス部位に、マイクロディスペンサー法、ピントランスファー法、インクジェット法等により供給する方法である。
【０００７】
第二の方法によれば予め精製し、量的にコントロール可能なプローブを用いるので、プローブの純度は十分確保でき、また、基板表面と反応させる濃度も自由に決めることができる。結果として基板表面に存在することになる各プローブ量をある程度正確に見積もることができ、プローブアレイを用いる標的物質の検出の信頼性が向上する。一方で第二の方法によればプローブアレイに必要な種類のプローブを全て、予め合成する必要と、それをプローブアレイ基板へ供給、反応させる必要がある。プローブアレイに必要なプローブの種類は、場合により数十万種になることもあり、これらを全て、予め合成し、基板へ供給、反応させるにはかなりの困難をともなう。
【０００８】
他方、第一の方法によれば、必要な種類のプローブを基板上で合成し、それを標的物質との反応に用いることができ、予め合成または調製したプローブを基板上に固定する操作を省略できる。
【０００９】
【発明が解決しようとする課題】
ところが、上述した第一の方法における検出感度や信頼性を更に向上させようとするには、以下のような問題がある。
【００１０】
（１）逐次合成の各段階での合成収率は  １００％ではないので、最終的な合成収率は場合によっては５％程度になる場合がある。これは標的物質を検出する際の感度の低下に直結する。
【００１１】
（２）同様の理由で、プローブアレイの各マトリクスには最終的に望まれる長さのプローブの他に、短い長さの物質が含まれることになり、これは、標的物質の検出時の信頼性の低下の原因となる。
【００１２】
（３）基板上で合成した結果、各マトリクスのプローブの量を測定することができない。これも標的物質の検出時の信頼性の低下の原因となる。
【００１３】
（４）上述のように、逐次合成の各段階での合成収率は  １００％ではなく、また、各段階で、また、各マトリクス部位でばらつくので、最終的に得られる各プローブの量は広い範囲でばらつくことになる。これも標的物質の検出時の信頼性の低下の原因となる。
【００１４】
【課題を解決するための手段】
本発明は、上記従来技術の課題を解決するためになされたものである。
【００１５】
すなわち、プローブアレイ基板表面の複数のマトリクス部位に、標的物質を捕捉するためのプローブをその一部を固定して、該プローブを構成するためのユニットを逐次的に結合していく、逐次合成の際に、該逐次合成の最終段階において、それまでの各段階の合成によって所望の鎖長まで伸長されたプローブの末端に標識化合物を結合する末端標識プローブアレイの製造と；該プローブアレイの、それぞれのマトリクスの標識物質量を測定する、最終段階まで逐次合成された各マトリクスのプローブの量の評価方法に関する。
【００１６】
また、前記記載のプローブの量の評価方法によって量的に評価されたプローブの量と、該プローブに捕捉された標的物質の標識物質の量を比較する標的化合物の量の評価方法に関する。
【００１７】
さらに、プローブアレイ基板表面の複数のマトリクス部位に、標的物質を捕捉するためのプローブをその一部を固定して、該プローブを構成するためのユニットを逐次的に結合していく、逐次合成の際に、該逐次合成の最終段階において、それまでの各段階の合成によって所望の鎖長まで伸長されたプローブの末端に標識化合物を結合する末端標識プローブアレイの所定の部位のマトリクスのプローブに捕捉された標識標的化合物の標識化合物の量と、最終段階において結合された標識物質の量と、逐次合成の第一段階において基板表面に結合された標識物質の量とを比較する標的化合物の量の評価方法に関し、
好ましくは前記末端標識プローブアレイが、前記記載のプローブの量の評価方法により評価されたものである前記記載の標的化合物の量の評価方法に関する。
【００１８】
【発明の実施の形態】
本発明では逐次合成の最終工程において、量的に測定可能な標識物質を導入することを特徴とする。
【００１９】
本発明の逐次合成方法とは、数個から百個程度のユニット（例えばＤＮＡであればヌクレオチド、タンパク質であればアミノ酸残基）からなる鎖状のオリゴマーを、所望のユニットを逐次的に結合合成していく方法であって、オリゴヌクレオチド、オリゴペプチド、ＰＮＡそれぞれに関してすでに一般的に用いられている手法をそのまま用いることができる。例えばＤＮＡ（オリゴヌクレオチド）の合成を例に挙げると、現在自動合成機で最も一般的に用いられている方法はフォスフォロアミダイト法であり、以下の合成ステップよりなる。
（１）固相担体（ガラス基板等）表面にリンカーを介して結合されている水酸基の保護基を除去する工程。
（２）所望の塩基を有する第一番目のヌクレオチドを形成すべきアミダイトモノマーの３’側で（１）の水酸基と結合する工程。
（３）（１）の水酸基のうち（２）の工程で未反応なものをキャッピングする工程。
（４）（２）で結合したアミダイトをフォスファイトからフォスフェイトへ酸化する工程。
（５）（２）で結合したアミダイトの５’側に結合した水酸基の保護基を除去する工程。
（６）（２）から（４）の工程を所望の塩基長、塩基配列に対して３’→５’方向へ繰り返す工程。
（７）核酸塩基の保護基を除去する工程。
【００２０】
プローブに関しては特に限定されることはないが、核酸、ＤＮＡ、オリゴヌクレオチド、ペプチド核酸（ＰＮＡ）、蛋白質、オリゴペプチドなどを例にあげることができる。
【００２１】
また、プローブアレイを用いる標的物質の検出においては、標的物質を蛍光色素で標識するのが一般的な手段として用いられているので、そのような場合にはプローブの標識物質にも蛍光色素を用いれば、同じ測定器を用いて検出することができ都合がよい。
【００２２】
その他の標識物質も用いることができるが、標的物質の検出の際の妨げにならないようにその種類を適宜選択する必要があり、そういう意味からも標的物質に結合させた標識物質とプローブに結合させた標識物質は異なるものであることが望ましい。
【００２３】
標識物質が共に蛍光色素である場合には、それぞれの励起波長と、蛍光波長が異なることが望ましく、例えば、片方がＦＩＴＣで他方がローダミン、片方がＣＹ３（アマシャムファルマシアバイオテク（株））で他方がＣＹ５（アマシャムファルマシアバイオテク（株））などの例をあげることができる。
【００２４】
プローブの固相での逐次合成の際には、一段伸長反応を行った後に、伸長せずに未反応のまま残った反応サイト（官能基）を反応性のないものに替える処理（キャッピング）をする。例えばＤＮＡの固相合成では反応サイトの水酸基がアセチル化されることにより反応性を失う。
【００２５】
従って本発明において標識物質が導入されるのは最終段階（所望の鎖長）まで伸長されたプローブのみということになり、結果として、それぞれのマトリクスのプローブの標識物質の量を測定することにより、各マトリクスのプローブの量を評価することが可能となる。
【００２６】
この量的に評価されたプローブの量と、これらプローブに捕捉された標的物質の標識物質の量を比較することにより標的物質の量の測定における各プローブ間の相対的補正を行うことができる。
【００２７】
また、絶対的な標的物質の量の評価方法として、本発明では、逐次合成の第一段階において基板表面の所定の位置に結合され、その後の伸長反応を行わないマトリクス部位の標識物質の量と、伸長反応を行なう各マトリクス部位での最終段階において伸長合成されたプローブに結合された標識物質の量を比較し、第一段階の反応前に形成した基板表面の官能基の量に対する各マトリクスのプローブ量を評価し、この量的に評価されたプローブ量と、これらプローブに捕捉された標的物質の標識物質の量を比較することにより標的物質の量の測定における絶対量の把握と、各プローブ間の相対的補正を同時に行うことができる。
【００２８】
本発明における末端標識プローブアレイを作製する際の各操作には前記の米国特許公報のいずれに記載の方法でもよく、他にも従来の技術を用いることが可能である。
【００２９】
【実施例】
以下に実施例をあげて本発明を具体的に説明する。
【００３０】
（実施例１）    末端標識ＤＮＡプローブアレイの作製
（１）合成石英基板（２５．４ｍｍ×２５．５ｍｍ  厚さ０．５ｍｍ）を、超音波洗浄専用洗剤ＧＰ−ＩＩ（ブランソン社製）の１０％水溶液で２０分間超音波洗浄した。超純水で適宜洗浄した後、１Ｎ水酸化ナトリウム水溶液（８０℃）に浸漬し、同様に超純水で洗浄、乾燥し、ついで、ＵＶオゾン処理を行い、表面を清浄化した。
【００３１】
（２）次に、カーボンブラックを含有したＤＥＥＰ−ＵＶレジスト（新日鉄化学株式会社  ブラックマトリクス用ネガ型レジスト  ＢＫ−７３９Ｐ）を、スピンコーターで膜厚５μｍになるように塗布した。この基板をホットプレートで８０℃で５分間加熱し硬化させた。このレジスト膜にＤＥＥＰ−ＵＶ露光装置を使用し、１ｃｍ×１ｃｍの領域に、１００μｍ間隔で、１００μｍ×１００μｍの正方形のマトリクス部位が図１のように等間隔で配置されるパターンに対応する所定のパターンマスクを用いてプロキシミティー露光し、ついで、無機アルカリ水溶液の現像液で、スピン現像機を用いて現像し、さらに、超純水でリンス処理し、現像液を完全に除去し、その後、スピン乾燥機を用いて簡単に乾燥した後、クリーンオープン中で、１８０℃、３０分加熱し、レジストを本硬化させ、所定のレジスト膜で囲まれた基板表面からなるマトリクス部位を  ２５００  個形成した。なお、本実施例で形成した各マトリクス部位の容積は５０ｐＬと計算される。
【００３２】
（３）エポキシ基を有するシランカップリング剤（ＫＢＭ４０３：γ−グリシドキシプロピルトリメトキシシラン、信越化学工業株式会社）
の１％水溶液を予め室温で１時間攪拌し加水分解した。この溶液に前記マトリクス部位を形成した基板を１時間浸漬し、ついで、超純水で適宜洗浄後、１２０℃で１時間加熱した。この処理により前記マトリクス部位にエポキシ基が結合した。この基板をさらにヘキサエチレングリコールで処理することにより、前記マトリクス部位にオリゴヌクレオチドを結合するための水酸基を導入した基板を得た。
【００３３】
（４）基板上でのオリゴヌクレオチドの合成は通常のフォスフォロアミダイト法によって行った。上記基板を収納可能なポリプロピレン製のチャンバーを製作し、ＤＮＡ合成機（ＡＢＩ社製  ３８１Ａ）のカラム部分に装着した。アミダイトモノマーとアクティベーター以外の供給と、その後の洗浄、乾燥以外の合成工程は、この自動合成機によって行った。アミダイトモノマーとアクティベーターの供給にはインクジェットに用いられるピエゾ素子を改造して用いた。インクの替わりにアミダイトモノマー４種とアクティベーターのアセトニトリル溶液を用いて、装置をドライボックス（アルゴン）中で操作して各溶液を上記基板のマトリクス部位に位置を制御して供給した。なお、ピエゾ素子から一度に供給される液の量は平均的に２４ｐＬである。
【００３４】
（５）基本的には  ２５００  すべてのマトリクス部位に異なる配列オリゴヌクレオチドを合成することが可能であるが、本実施例では発癌関連遺伝子ｐ５３の二つのアミノ酸残基のうちの計３個所の塩基の全ての組み合わせを含む以下の６４種のオリゴヌクレオチド、すなわちＤＮＡプローブ合成した。得られたＤＮＡプローブアレイ基板を３０％アンモニア水に室温で１２時間浸漬し、核酸塩基の脱保護を行った。
合成したＤＮＡプローブ（Ｎｏ．１〜Ｎｏ．６４）の塩基配列
合成したＤＮＡプローブ（Ｎｏ．１〜Ｎｏ．６４）の塩基配列
Ｎｏ．１．    ５’−ＧＡＴＧＧＧＡＣＴＣＡＡＧＴＴＣＡＴ−３’
Ｎｏ．２．    ５’−ＧＡＴＧＧＧＡＣＴＣＡＧＧＴＴＣＡＴ−３’
Ｎｏ．３．    ５’−ＧＡＴＧＧＧＡＣＴＣＡＣＧＴＴＣＡＴ−３’
Ｎｏ．４．    ５’−ＧＡＴＧＧＧＡＣＴＣＡＴＧＴＴＣＡＴ−３’
Ｎｏ．５．    ５’−ＧＡＴＧＧＧＡＣＴＣＧＡＧＴＴＣＡＴ−３’
Ｎｏ．６．    ５’−ＧＡＴＧＧＧＡＣＴＣＧＧＧＴＴＣＡＴ−３’
Ｎｏ．７．    ５’−ＧＡＴＧＧＧＡＣＴＣＧＣＧＴＴＣＡＴ−３’
Ｎｏ．８．    ５’−ＧＡＴＧＧＧＡＣＴＣＧＴＧＴＴＣＡＴ−３’
Ｎｏ．９．    ５’−ＧＡＴＧＧＧＡＣＴＣＣＡＧＴＴＣＡＴ−３’
Ｎｏ．１０．５’−ＧＡＴＧＧＧＡＣＴＣＣＧＧＴＴＣＡＴ−３’
Ｎｏ．１１．５’−ＧＡＴＧＧＧＡＣＴＣＣＣＧＴＴＣＡＴ−３’
Ｎｏ．１２．５’−ＧＡＴＧＧＧＡＣＴＣＣＴＧＴＴＣＡＴ−３’
Ｎｏ．１３．５’−ＧＡＴＧＧＧＡＣＴＣＴＡＧＴＴＣＡＴ−３’
Ｎｏ．１４．５’−ＧＡＴＧＧＧＡＣＴＣＴＧＧＴＴＣＡＴ−３’
Ｎｏ．１５．５’−ＧＡＴＧＧＧＡＣＴＣＴＣＧＴＴＣＡＴ−３’
Ｎｏ．１６．５’−ＧＡＴＧＧＧＡＣＴＣＴＴＧＴＴＣＡＴ−３’
Ｎｏ．１７．５’−ＧＡＴＧＧＧＧＣＴＣＡＡＧＴＴＣＡＴ−３’
Ｎｏ．１８．５’−ＧＡＴＧＧＧＧＣＴＣＡＧＧＴＴＣＡＴ−３’
Ｎｏ．１９．５’−ＧＡＴＧＧＧＧＣＴＣＡＣＧＴＴＣＡＴ−３’
Ｎｏ．２０．５’−ＧＡＴＧＧＧＧＣＴＣＡＴＧＴＴＣＡＴ−３’
Ｎｏ．２１．５’−ＧＡＴＧＧＧＧＣＴＣＧＡＧＴＴＣＡＴ−３’
Ｎｏ．２２．５’−ＧＡＴＧＧＧＧＣＴＣＧＧＧＴＴＣＡＴ−３’
Ｎｏ．２３．５’−ＧＡＴＧＧＧＧＣＴＣＧＣＧＴＴＣＡＴ−３’
Ｎｏ．２４．５’−ＧＡＴＧＧＧＧＣＴＣＧＴＧＴＴＣＡＴ−３’
Ｎｏ．２５．５’−ＧＡＴＧＧＧＧＣＴＣＣＡＧＴＴＣＡＴ−３’
Ｎｏ．２６．５’−ＧＡＴＧＧＧＧＣＴＣＣＧＧＴＴＣＡＴ−３’
Ｎｏ．２７．５’−ＧＡＴＧＧＧＧＣＴＣＣＣＧＴＴＣＡＴ−３’
Ｎｏ．２８．５’−ＧＡＴＧＧＧＧＣＴＣＣＴＧＴＴＣＡＴ−３’
Ｎｏ．２９．５’−ＧＡＴＧＧＧＧＣＴＣＴＡＧＴＴＣＡＴ−３’
Ｎｏ．３０．５’−ＧＡＴＧＧＧＧＣＴＣＴＧＧＴＴＣＡＴ−３’
Ｎｏ．３１．５’−ＧＡＴＧＧＧＧＣＴＣＴＣＧＴＴＣＡＴ−３’
Ｎｏ．３２．５’−ＧＡＴＧＧＧＧＣＴＣＴＴＧＴＴＣＡＴ−３’
Ｎｏ．３３．５’−ＧＡＴＧＧＧＣＣＴＣＡＡＧＴＴＣＡＴ−３’
Ｎｏ．３４．５’−ＧＡＴＧＧＧＣＣＴＣＡＧＧＴＴＣＡＴ−３’
Ｎｏ．３５．５’−ＧＡＴＧＧＧＣＣＴＣＡＣＧＴＴＣＡＴ−３’
Ｎｏ．３６．５’−ＧＡＴＧＧＧＣＣＴＣＡＴＧＴＴＣＡＴ−３’
Ｎｏ．３７．５’−ＧＡＴＧＧＧＣＣＴＣＧＡＧＴＴＣＡＴ−３’
Ｎｏ．３８．５’−ＧＡＴＧＧＧＣＣＴＣＧＧＧＴＴＣＡＴ−３’
Ｎｏ．３９．５’−ＧＡＴＧＧＧＣＣＴＣＧＣＧＴＴＣＡＴ−３’
Ｎｏ．４０．５’−ＧＡＴＧＧＧＣＣＴＣＧＴＧＴＴＣＡＴ−３’
Ｎｏ．４１．５’−ＧＡＴＧＧＧＣＣＴＣＣＡＧＴＴＣＡＴ−３’
Ｎｏ．４２．５’−ＧＡＴＧＧＧＣＣＴＣＣＧＧＴＴＣＡＴ−３’
Ｎｏ．４３．５’−ＧＡＴＧＧＧＣＣＴＣＣＣＧＴＴＣＡＴ−３’
Ｎｏ．４４．５’−ＧＡＴＧＧＧＣＣＴＣＣＴＧＴＴＣＡＴ−３’
Ｎｏ．４５．５’−ＧＡＴＧＧＧＣＣＴＣＴＡＧＴＴＣＡＴ−３’
Ｎｏ．４６．５’−ＧＡＴＧＧＧＣＣＴＣＴＧＧＴＴＣＡＴ−３’
Ｎｏ．４７．５’−ＧＡＴＧＧＧＣＣＴＣＴＣＧＴＴＣＡＴ−３’
Ｎｏ．４８．５’−ＧＡＴＧＧＧＣＣＴＣＴＴＧＴＴＣＡＴ−３’
Ｎｏ．４９．５’−ＧＡＴＧＧＧＴＣＴＣＡＡＧＴＴＣＡＴ−３’
Ｎｏ．５０．５’−ＧＡＴＧＧＧＴＣＴＣＡＧＧＴＴＣＡＴ−３’
Ｎｏ．５１．５’−ＧＡＴＧＧＧＴＣＴＣＡＣＧＴＴＣＡＴ−３’
Ｎｏ．５２．５’−ＧＡＴＧＧＧＴＣＴＣＡＴＧＴＴＣＡＴ−３’
Ｎｏ．５３．５’−ＧＡＴＧＧＧＴＣＴＣＧＡＧＴＴＣＡＴ−３’
Ｎｏ．５４．５’−ＧＡＴＧＧＧＴＣＴＣＧＧＧＴＴＣＡＴ−３’
Ｎｏ．５５．５’−ＧＡＴＧＧＧＴＣＴＣＧＣＧＴＴＣＡＴ−３’
Ｎｏ．５６．５’−ＧＡＴＧＧＧＴＣＴＣＧＴＧＴＴＣＡＴ−３’
Ｎｏ．５７．５’−ＧＡＴＧＧＧＴＣＴＣＣＡＧＴＴＣＡＴ−３’
Ｎｏ．５８．５’−ＧＡＴＧＧＧＴＣＴＣＣＧＧＴＴＣＡＴ−３’
Ｎｏ．５９．５’−ＧＡＴＧＧＧＴＣＴＣＣＣＧＴＴＣＡＴ−３’
Ｎｏ．６０．５’−ＧＡＴＧＧＧＴＣＴＣＣＴＧＴＴＣＡＴ−３’
Ｎｏ．６１．５’−ＧＡＴＧＧＧＴＣＴＣＴＡＧＴＴＣＡＴ−３’
Ｎｏ．６２．５’−ＧＡＴＧＧＧＴＣＴＣＴＧＧＴＴＣＡＴ−３’
Ｎｏ．６３．５’−ＧＡＴＧＧＧＴＣＴＣＴＣＧＴＴＣＡＴ−３’
Ｎｏ．６４．５’−ＧＡＴＧＧＧＴＣＴＣＴＴＧＴＴＣＡＴ−３’
図１は作製したＤＮＡアレイ基板上のＤＮＡプローブの塩基配列とその配置、および、後にハイブリダイゼーションに用いるテトラメチルローダミン標識モデル標的ＤＮＡの塩基配列を示したものである。配列Ｎｏ．６５は標的ＤＮＡの塩基配列、他の配列は配列Ｎｏ．６５に対して相補的であるが、下線部の３塩基については、ＡＧＣＴすべての組み合わせをもったもの、すなわち、４３＝６４とおりの配列である。なお、上記プローブの３塩基は、配列Ｎｏ．６５の下線部に対応している。また、各配列のＮの部分はそれぞれ四角で形どられた部分の上部に書かれた塩基に対応している。結果として、基板上の各ＤＮＡプローブは図１に示したように、標的ＤＮＡ配列に対して、完全に相補的（Ｎｏ．４２）、あるいは、１塩基ミスマッチ、２塩基ミスマッチ、３塩基ミスマッチを有するものとなる。
【００３５】
（６）合成した全てのＤＮＡプローブの５’末端にはフルオロセインフォスフォロアミダイト（グレンリサーチ社）をもちいて蛍光色素であるフルオロセインを結合した。また、他の１個所のマトリクス部位には直接、上記アミダイトを用いてフルオロセインを結合した。すなわち第一段階の所望の塩基を有するアミダイトの代わりにフルオロセインフォスフォロアミダイトを用いてフルオロセインを結合した。なお、このものには原理的に次段階以降の伸長反応は進行しない。
【００３６】
（実施例２）    実施例１で合成したＤＮＡプローブアレイの蛍光定量。
【００３７】
各マトリクス部位からのフルオロセイン由来の蛍光は蛍光顕微鏡ＥＣＬＩＰＳＥ８００（株式会社ニコン、対物レンズ  ＣＦＩＰｌａｎＡｐｏ  ２０×）とイメージインテンシファイヤー付きＣＣＤカメラＣ２４００−８７（浜松ホトニクス株式会社）で取り込み、画像処理装置  Ａｒｇｕ５０（浜松ホトニクス株式会社）を用いて定量した。なお、イメージインテンシファイヤーの増幅度はＨＶ＝２．０とし、積算回数は６４回、蛍光顕微鏡のフィルターブロックはフルオロセイン測定用のＢ−２Ｅ／Ｃを使用した。また、蛍光の測定は基板をスライドガラス上に置き、５０ｍｍｏｌ／Ｌ  リン酸緩衝撃（ｐＨ＝７．０、１００ｍｍｏｌ／Ｌ  ＮａＣｌを含む）を適宜滴下した後、カバーガラスで覆った状態で行った。
【００３８】
図２に蛍光の測定値を示した。図２の四角形の外部の蛍光値（１１３３０）はフルオロセインを直接結合したマトリクス部位からのものである。図２から最終的に結合されたオリゴヌクレオチドからの蛍光値は  ２９４０  から  １０３５０  の範囲に渡ることがわかる。これは各オリゴヌクレオチドプローブの量の指標に用いることができ、ハイブリダイゼーションの結果をこれらの蛍光値で補正すれば良いことになる。また、複数のＤＮＡアレイを用いる場合には、各アレイの直接結合されフルオロセインからの蛍光値によりマトリクス部位間の補正を行うことが可能である。
【００３９】
（実施例３）    実施例１で合成したＤＮＡプローブアレイによる標的ＤＮＡの定量。
【００４０】
図３にハイブリダイゼーションに用いたテトラメチルローダミン標識モデル標的ＤＮＡの構造を示す。前述のようにこの標的ＤＮＡの塩基配列は配列Ｎｏ．６５である。
【００４１】
上記基板をＢＳＡ（牛血清アルブミン、シグマアルドリッチジャパン）を２％の濃度で含む  ５０ｍｍｏｌ／Ｌリン酸緩衝液（ｐＨ＝７．０、１００ｍｍｏｌ／Ｌ  ＮａＣｌを含む）に１時間浸漬した後、上記緩衝液で適宜洗浄した後のハイブリダイゼーションに用いた。
【００４２】
ハイブリダイゼーションは上記の標的ＤＮＡを  ５０ｎｍｏｌ／Ｌの濃度で含む  １００ｍｍｏｌ／Ｌ  ＮａＣｌ、５０ｍｍｏｌ／Ｌリン酸緩衝液（ｐＨ＝７．０）２ｍＬとＤＮＡプローブアレイ基板をハイブリダイゼーション用の樹脂パックに封じ、７０℃に加熱した後、２０℃まで冷却し、その後その状態で２４時間放置することによりおこなった。
【００４３】
次に基板を上記緩衝液中で２０分間洗浄した後に標的ＤＮＡのテトラメチルローダミンからの蛍光を実施例２と同様の方法で定量した。なお、蛍光フィルターブロックにはＹ−２Ｅ／Ｃを使用した。また、イメージインテンシファイヤーの増幅度は  ４．０  である。
【００４４】
結果を図４に示す。また、図４の定量値に補正値（伸長反応を行なわないマトリクス部位に直接結合したフルオロセインからの蛍光値：１１３３０／伸長反応を行なった各マトリクス部位のフルオロセインからの蛍光値）を掛け合わせた値を図５に示した。これらの値を比較例の値と比較する（後記）。
【００４５】
（比較例１）    インクジェット法による既合成ＤＮＡプローブの基板への供給と結合、及び、ハイブリダイゼーション
実施例１と同様にガラス基板を洗浄した後、減圧蒸留して精製したアミノシランカップリング剤（ＫＢＭ−６０３  信越化学工業株式会社）を１％の濃度で含む水溶液を室温下、１時間攪拌し、メトキシ基部分を加水分解させた。次に上記基板を洗浄後速やかに上記シランカップリング剤水溶液に室温下、１時間浸漬し、流水（超純水）洗浄後、窒素ガスを吹きつけて乾燥させ、次いで、１２０℃のオーブン中で１時間加熱定着させた。
【００４６】
冷却後、Ｎ−（６−マレイミドカプロキシ）スクシイミド（ＥＭＣＳ，化合物Ｉ，同仁化学研究所）
【００４７】
【化１】
0003596868.tif 000002
【００４８】
の  ０．３％溶液（エタノール；ジメチルスルホキシド＝１：１）に基板を室温下、２時間浸漬し、反応させたのち、エタノール：ジメチルスルホキシド＝１：１で１回、エタノールで３回洗浄し、窒素ガスを吹きつけて乾燥させた。この処理によりガラス基板上のシランカップリング剤のアミノ基とＥＭＣＳのスクシイミド基が結合し、表面にマレイミド基が生成したことになる。このマレイミド基とＤＮＡプローブのチオール基が結合する（後記）。
【００４９】
実施例３と全く同様の塩基配列を有する６４種のＤＮＡプローブをベックス株式会社より購入した。これらのＤＮＡには基板に結合するために５’末端にチオールリンカーを担持させてある。チオールリンカーを有するＤＮＡの例を化合物ＩＩ
【００５０】
【化２】
0003596868.tif 000003
【００５１】
としてあげた。ちなみに化合物ＩＩはモデル標的ＤＮＡに対して完全に相補的な塩基配列（Ｎｏ．４２）を有するものである。
【００５２】
これらのＤＮＡをサーマルジェットプリンターで吐出するための溶媒、すなわち、グリセリン  ７．５ｗｔ％、尿素  ７．５ｗｔ％、チオジグリコール  ７．５ｗｔ％、一般式ＩＩＩ
【００５３】
【化３】
0003596868.tif 000004
【００５４】
で示されるアセチレンアルコール（例えば、商品名：アセチレノールＥＨ  川研ファインケミカル株式会社）１ｗｔ％を含む水溶液に、吸光度が  １．０  になるように溶解させ、０．４ｍＬをサーマルジェットプリンター（キヤノン株式会社製のインクジェット用ヘッドを２個搭載可能）のインク供給部を改良して充填し、上記の基板上に吐出した。吐出のパターンは実施例１から３と同様である（形状は異なる）。装置の仕様上からは、吐出される液滴１滴の量は２４ｐＬで、この条件では液滴１滴のしめるドットの直径は  ７０〜１００μｍである。吐出密度は  １２０ｄｐｉ（ドット／インチ）である。この基板を、湿度  １００％の保湿チャンバー内に室温下で１時間反応させた後、流水（超純水）中で約  ３０秒洗浄した。
【００５５】
ＢＳＡによる処理、ハイブリダイゼーションの条件、及び、蛍光定量の条件は実施例３と同様である。イメージインテンシファイヤーの増幅度は  ２．０  である。蛍光定量の結果を図６に示した。
【００５６】
図７には図６の結果と図５の結果の比較を示した。図５の各マトリクスの値をＡｎ、図６の各マトリクスの値をＢｎ（ｎ＝１〜６４）とすると、図７の各マトリクスの値Ｃｎは以下の（１）式で示される。
（１）    Ｃｎ＝Ｂｎ×（ΣＡｎ／ΣＢｎ）／Ａｎ
（ΣＡｎはＡｎの総和、ΣＢｎはＢｎの総和を示す。）
図７の結果は本発明による逐次合成のＤＮＡプローブアレイによるハイブリダイゼーションの結果をプローブの末端標識に用いた蛍光色素の蛍光値と、伸長反応を行なわないマトリクス部位の蛍光値とで補正した値と、予め合成、精製したＤＮＡプローブを結合したＤＮＡプローブアレイを用いたハイブリダイゼーションの結果を比較したものである。図７の数値は±約  ２０％、標準偏差は約９％の範囲であり、本発明の補正方法が有効であることを示している。また、ＤＮＡプローブアレイ基板相互の補正も伸長反応を行なわないマトリクス部位において、直接基板に結合した蛍光色素（フルオロセイン）の値により可能である。
【００５７】
【発明の効果】
本発明の逐次合成におけるプローブアレイの合成において、末端に標識を施すことにより、各マトリクス間のプローブ量を把握することが可能となり、また、各プローブ量を補正して標的物質を検出、定量することが可能となった。また、各プローブ基板に直接標識物質を結合することにより、各プローブアレイ間の補正も可能となった。
【００５８】
【配列表】
0003596868.tif 000005
0003596868.tif 000006
0003596868.tif 000007
0003596868.tif 000008
0003596868.tif 000009
0003596868.tif 000010
0003596868.tif 000011
0003596868.tif 000012
0003596868.tif 000013
0003596868.tif 000014
0003596868.tif 000015
0003596868.tif 000016
0003596868.tif 000017
0003596868.tif 000018
0003596868.tif 000019
0003596868.tif 000020
0003596868.tif 000021
0003596868.tif 000022
0003596868.tif 000023
0003596868.tif 000024
0003596868.tif 000025
0003596868.tif 000026
0003596868.tif 000027
0003596868.tif 000028
0003596868.tif 000029
0003596868.tif 000030
0003596868.tif 000031
0003596868.tif 000032
0003596868.tif 000033
0003596868.tif 000034
0003596868.tif 000035
【図面の簡単な説明】
【図１】標的ＤＮＡ塩基配列とプローブ塩基配列およびアレイ基板上での配置
【図２】実施例２のＤＮＡプローブアレイのフルオロセイン由来の蛍光測定値
【図３】標的ＤＮＡの構造
【図４】実施例３のハイブリダイゼーションの結果
【図５】実施例３のハイブリダイゼーションの結果の補正値
【図６】比較例のハイブリダイゼーションの結果
【図７】実施例３の補正値と比較例の結果の比較
【図１】
0003596868.tif 000036
【図２】
0003596868.tif 000037
【図３】
0003596868.tif 000038
【図４】
0003596868.tif 000039
【図５】
0003596868.tif 000040
【図６】
0003596868.tif 000041
【図７】
0003596868.tif 000042